(57)【特許請求の範囲】
【請求項１】
複写機等の装置本体に取り付けられる取付部材（１）と、該取付部材（１）にヒンジ軸（３）を介して回動自在に枢着される支持部材（２）と、該支持部材（２）の先端部にリフト軸（５）を介し該支持部材（２）と重なる方向に回動自在に枢着されると共に原稿圧着板を取り付けるリフト部材（４）と、上記支持部材（２）内に摺動自在に設けられる一対の第１および第２スライダー（６、７）と、これら第１および第２スライダー（６、７）間に設けられて上記第１スライダー（６）を上記リフト部材（４）と共に回動する作動ピン（９）に弾性的に押圧すると同時に、上記第２スライダー（７）のカム部（７ａ）を上記取付部材（１）に軸架される受圧ピン（１０）を弾性的に押圧する圧縮スプリング（８）と、から成る原稿圧着板の開閉装置において、前記取付部材（１）に平行に取り付けられている上記ヒンジ軸（３）と受圧ピン（１０）を樹脂部材（１１）に挿通せしめることにより、該樹脂部材（１１）を上記ヒンジ軸（３）と受圧ピン（１０）を介して前記取付部材（１）に固定せしめ、上記原稿圧着板のサービス開放範囲において、前記樹脂部材（１１）が上記第２スライダー（７）のカム部（７ａ）と当接して押圧することにより、トルクを発揮するように構成したことを特徴とする原稿圧着板の開閉装置。
【発明の詳細な説明】
【技術分野】
【０００１】
本発明は、複写機等の原稿圧着板の開閉装置に関する。
【背景技術】
【０００２】
従来、この種の原稿圧着板の開閉装置としては、複写機等の装置本体に取り付けられる取付部材と、該取付部材にヒンジ軸を介して回動自在に枢着される支持部材と、該支持部材の先端部に支軸を介し該支持部材と重なる方向に回動自在に枢着されると共に原稿圧着板を取り付けるリフト部材と、上記支持部材内に摺動自在に設けられる一対の第１および第２スライダーと、これら第１および第２スライダー間に設けられて上記第１スライダーを上記リフト部材と共に回動する作動ピンに弾性的に押圧すると同時に、上記第２スライダーのカム部を上記取付部材に軸架される受圧ピンに弾性的に押圧せしめる圧縮スプリングと、から成るものがあった。
【０００３】
上記従来の原稿圧着板の開閉装置は、原稿圧着板の通常使用の開角度の約６０°を超えた、いわゆるサービス開放角度の範囲（約６０〜９０°）内においては、上記第２スライダーのカム部が上記ヒンジ軸に接触してしまい、上記受圧ピンと第２スライダー間でトルクを発揮させることが困難であり、そのため、特に複写機等の保守点検時において、サービス開放角度の範囲（約６０〜９０°）に開放した場合に、特にＡＤＦ（原稿自動送り装置）を搭載した原稿圧着板においては、これが急に倒れてサービスマンが怪我をする等の問題点があった。
【発明の概要】
【発明が解決しようとする課題】
【０００４】
本発明は、上記従来の問題点を解決して、原稿圧着板の開閉角度が約６０〜９０°のいわゆるサービス開放角度の範囲内においても、原稿圧着板の急激な落下により、サービスマンが怪我をするのを防止するのに十分なトルクを発揮することができる原稿圧着板の開閉装置を提供することを課題とする。
【課題を解決するための手段】
【０００５】
本発明の原稿圧着板の開閉装置は、複写機等の装置本体に取り付けられる取付部材と、該取付部材にヒンジ軸を介して回動自在に枢着される支持部材と、該支持部材の先端部に支軸を介し該支持部材と重なる方向に回動自在に枢着されると共に原稿圧着板を取り付けるリフト部材と、上記支持部材内に摺動自在に設けられる一対の第１および第２スライダーと、これら第１および第２スライダー間に設けられて上記第１スライダーを上記リフト部材と共に回動する作動ピンに弾性的に押圧すると同時に、上記第２スライダーのカム部を上記取付部材に軸架される受圧ピンを弾性的に押圧する圧縮スプリングと、から成る原稿圧着板の開閉装置において、上記ヒンジ軸と受圧ピンを通して樹脂部材を固定し、サービス開放範囲において、前記樹脂部材が上記第２スライダーのカム部と接触することにより、トルクを発揮するように構成したことを特徴とする。
【発明の効果】
【０００６】
本発明の原稿圧着板の開閉装置は、ヒンジ軸と受圧ピンを通して樹脂部材を固定し、サービス開放範囲において、前記樹脂部材が第２スライダーのカム部と接触することにより、トルクを発揮するように構成したので、原稿圧着板の開閉角度が約６０〜９０°のいわゆるサービス開放角度の範囲内においても、原稿圧着板の急激な落下により、サービスマンが怪我をするのを防止するのに十分なトルクを発揮することができる。
【図面の簡単な説明】
【０００７】
【図１】本発明の原稿圧着板の開閉装置の一実施例を示す側面図である。
【図２】図１の内部構造の透視図である。
【図３】図１の縦断面図である。
【図４】図１の装置のサービス開放角度における作用説明図である。
【図５】解放角度が９０°にある装置の作用説明図である。
【発明を実施するための形態】
【０００８】
以下、本発明の原稿圧着板の開閉装置の実施例について、図面を参照しながら説明する。
【０００９】
図１は、本発明装置の一実施例を示す側面図であって、１は複写機などの機器本体（図示せず）に取付固定される取付部材、２は該取付部材１にヒンジ軸３を介して回動自在に支持される支持部材、４は該支持部材２にリフト軸５を介して回動自在に支持されるリフト部材である。
【００１０】
上記リフト軸５は上記支持部材２の先端部（上記ヒンジ軸３の位置から離れた位置）に設けられ、上記リフト部材４を上記支持部材２とは逆対方向にしかもこれと重なるように回動するように構成されている。該リフト部材４には、原稿圧着板（図示せず）が装着される。該原稿圧着板には、必要に応じて、ＡＤＦ（原稿自動送り装置）を設けることができる。
【００１１】
図２および図３から明らかなように、上記支持部材２内には、第１スライダー６および第２スライダー７が摺動自在に設けられている。これらの第１および第２スライダー６，７間には、圧縮スプリング８が収容されていて、上記第１スライダー６を作動ピン９に弾性的に押圧するようになっている。該作動ピン９は上記リフト部材４とともに回動するように取り付けられている。また、上記圧縮スプリング８は、上記第２スライダー７を弾性的に押圧している。
【００１２】
上記第２スライダー７の外方には、受圧ピン１０が配置されている。該受圧ピン１０は上記ヒンジ軸２と平行に支持部材２に取り付けられている。該受圧ピン１０には、上記第２スライダー７の外側に一体的に形成されているカム部７ａが、上記圧縮スプリング８の弾発力により弾性的に押圧されるようになっている。
【００１３】
図３〜図５から明らかなように、樹脂部材１１には、前記取付部材１に平行に取り付けられている上記ヒンジ軸３と受圧ピン１０を樹脂部材１１に挿通せしめることにより、該樹脂部材１１はヒンジ軸３と受圧ピン１０を介して前記取付部材１に固定される。従って、原稿圧着板のサービス開放範囲（約６０〜９０°）において、前記樹脂部材１１を上記第２スライダー７のカム部７ａに当接せしめて押圧することにより、上記支持部材２や上記リフト部材４が転倒しないように、トルクを発揮せしめる。
【００１４】
本実施例の原稿圧着板の開閉装置は、図４および図５に示すようなサービス開放範囲（約６０〜９０°）において、前記樹脂部材１１が上記第２スライダー７のカム部７ａと当接して押圧することにより、トルクを発揮するように構成されているので、原稿圧着板の急激な落下により、サービスマンが怪我をするのを防止することができる。
【００１５】
上記実施例では、複写機の原稿圧着板を開閉する装置について説明したが、本発明の開閉装置はこれに限定するものではなく、ＦＡＸ，スキャナーなど、原稿を画像処理するＯＡ機器であればいずれでもよい。
【符号の説明】
【００１６】
１    取付部材
２    支持部材
３    ヒンジ軸
４    リフト部材
５    リフト軸
６    第１スライダー
７    第２スライダー
７ａ  カム部
８    圧縮スプリング
９    作動ピン
１０  受圧ピン
１１  樹脂部材
【図１】
0005641389.tif 000002
【図２】
0005641389.tif 000003
【図３】
0005641389.tif 000004
【図４】
0005641389.tif 000005
【図５】
0005641389.tif 000006